(57)【要約】【課題】用途に応じて素材や色やデザインを変えても量産が容易であり、且つどのような用途の空調衣服に対しても空気もれの少ない生地を用いて製作することができ、しかもファンによる膨らみを抑えることができる空調衣服を提供する。【解決手段】外気を吸引するためのファン５０と、ファンを駆動するための電源部６０と、身体の腰部に密着させるための裾部２３とを備え、身体の所定部位を覆うと共に、身体又は下着との空間に、身体又は下着の表面に沿って空気を案内するための内着２０と、内着の上に着用する、ファンに対向する部分に外気を取り入れるメッシュ状の外気取入口１１が形成された上着１０と、を備え、内着２０の上に上着１０を着用し、上着の空気取入口から外気を内着内に取り入れ、内着と身体又は下着との空間に空気を流通させて、襟部及び袖口部から外部に排出する。【選択図】図１
2006307354.tif 000002
【特許請求の範囲】
【請求項１】
胴部の下部に形成された開口部に設けられた外気を吸引するための一又は複数の送風手段と、前記送風手段を駆動するための電源手段と、裾部を身体の腰部に密着させるための密着手段とを備え、身体の所定部位を覆うと共に、身体又は下着との空間に、身体又は下着の表面に沿って空気を案内するための内着と、
前記内着の上に着用する、前記送風手段に対向する部分に外気を取り入れる外気取入口が形成された上着と、
を備え、
前記内着の上に前記上着を着用し、前記上着の前記空気取入口から外気を前記内着内に取り入れ、前記内着と身体又は下着との空間に空気を流通させて、少なくとも襟部及び袖口部から外部に排出することを特徴とする空調衣服。
【請求項２】
前記内着を前記上着に取着するための取着手段を備えることを特徴とする請求項１記載の空調衣服。
【請求項３】
前記取着手段は、少なくとも、前記内着の前記送風手段の近傍を前記上着の前記外気取入口の近傍に着脱自在に取着するものであることを特徴とする請求項２記載の空調衣服。
【請求項４】
前記上着は前部を開閉するための上着用開閉手段を有し、前記内着は前部を開閉するための内着用開閉手段を有することを特徴とする請求項１、２又は３記載の空調衣服。
【請求項５】
前記取着手段は、前記上着用開閉手段の近傍に、前記内着の開閉自在な前部の端部を着脱自在に取着するものであることを特徴とする請求項４記載の空調衣服。
【請求項６】
前記取着手段は、ファスナ、面状テープ又はボタンを用いたものであることを特徴とする請求項２乃至５の何れかに記載の空調衣服。
【請求項７】
前記密着手段は、前記腰部への密着度を調節することができるものであることを特徴とする請求項１乃至６の何れかに記載の空調衣服。
【請求項８】
前記密着手段は、弾性部材又は紐状部材を用いたものであることを特徴とするとする請求項１乃至７の何れかに記載の空調衣服。
【請求項９】
前記上着がつなぎ服であることを特徴とするとする請求項１乃至８の何れかに記載の空調衣服。
【請求項１０】
前記密着手段は、ベルトにより密着度を調節することができものであり、密着度を弱くすることにより、取り入れた外気を前記つなぎ服のズボンの裾部から外部に排出することができるものであることを特徴とする請求項９記載の空調衣服。
【請求項１１】
前記上着の外気取入口を覆うようにメッシュ状部材が設けられていることを特徴とする請求項１乃至１０の何れかに記載の空調衣服。
【請求項１２】
胴部の下部に形成された開口部に設けられた外気を吸引するための一又は複数の送風手段と、前記送風手段を駆動するための電源手段と、ネクタイを締めたときにも、襟部と首との間に空気を流通させるための空間を確保するための襟部用間隔維持手段とを備え、身体の所定部位を覆うと共に、身体又は下着の表面に沿って空気を案内するためのワイシャツ状に形成された内着と、
前記内着の上に着用する上着と、
前記内着と前記上着との間に設けられた、前記送風手段と前記上着との間に空間を確保して外気を吸引するための外気取入用間隔維持手段と、
を備え、
前記内着の裾部をズボン内に入れて前記ズボンの腰部により身体に密着させ、前記内着と前記上着との間に設けられた前記外気取入用間隔維持手段を介して外気を前記内着内に取り入れ、身体又は下着との空間に空気を流通させて、襟部、袖口部及び必要に応じてズボンの裾部から外部に排出することを特徴とする空調衣服。
【請求項１３】
前記外気取入用間隔維持手段により前記送風手段と前記上着との間に形成される間隔Ｈは、一つの前記送風手段の吸引口の半径をｒ、前記吸引口の実質面積をＳ1とし、前記吸引口の径と同じ径を有し高さがＨの円筒の表面積をＳ2とすると、
Ｓ1  ≦  Ｓ2（＝Ｈ×２πｒ）
を満足する値であることを特徴とする請求項１２記載の空調衣服。
【請求項１４】
前記上着の下端と前記内着の下端によって形成される外気を取り入れる取入口の面積Ｓ3と、前記送風手段の前記吸引口の総実質面積ΣＳ1とは下式、
ΣＳ1  ≦  Ｓ3
を満足するものであることを特徴とする請求項１２又は１３記載の空調衣服。
【請求項１５】
前記送風手段は背部の下部に二つ配置されており、且つ弾性部材を用いて、通常の状態のときには前記二つの送風手段を所定の間隔で保持し、背部に圧力が加わると、前記二つの送風手段の間隔が伸張し、前記送風手段が側部に移動するように構成したことを特徴とする請求項１乃至１４の何れかに記載の空調衣服。
【請求項１６】
前記内着は、半袖又は袖無の胴着状に形成されていることを特徴とする請求項１乃至１５の何れかに記載の空調衣服。
【請求項１７】
前記内着の少なくとも背部の上部又は肩部に、外気を流通させる流通路を確保するための流通路用間隔維持手段を設けたことを特徴とするとする請求項１乃至１６の何れかに記載の空調衣服。
【請求項１８】
前記内着を、細いポリエステル等の化繊で密に織られた布、コーティングにより空気漏れを防止したもの、又は塩ビ等の樹脂製のシートで形成したことを特徴とする請求項１乃至１７の何れかに記載の空調衣服。
【請求項１９】
前記送風手段は、側部の下部に配置されていることを特徴とするとする請求項１乃至１４又は１６乃至１８の何れかに記載の空調衣服。
【発明の詳細な説明】
【技術分野】
【０００１】
本発明は、身体の表面に略平行な空気を流通させることにより身体を冷却する空調衣服に関する。
【背景技術】
【０００２】
近年、身体を冷却する空調衣服が広く知られるようになってきた（例えば、特許文献１参照）。かかる空調衣服は、服地部と身体又は下着との間に空気を流通させるための流通路と、服地部に取付けられたファンとを備える。ファンは、通常、服地の背中側の下部に取付けられる。空調衣服を着用し、ファンを駆動すると、ファンにより空調衣服内に外気が吸引され、服地部と身体又は下着との空間に空気の流れが生じ、身体の表面に沿って空気が流通するようになる。これにより、身体の表面における湿度勾配を大きくして、身体が必要とする放熱量に応じて排出される汗を気化させることができる。この結果、身体から気化熱が奪われ、身体が冷却される。この空調衣服は、既に作業服等に応用されており、空調衣服化した作業服は実際に市販されている。
【０００３】
【特許文献１】国際公開第０２／０６７７０８号パンフレット
【特許文献２】国際公開第０４／０１０８０６号パンフレット
【特許文献３】国際公開第０４／０１２５６４号パンフレット
【発明の開示】
【発明が解決しようとする課題】
【０００４】
ところで、空調衣服でも他の衣服と同じように、多数の種類が必要となる。例えば、用途に応じて空調衣服の素材を変える必要がある。火を扱う場所では、耐火性のある生地を、発熱源のある作業場では綿１００％の素材を、作業内容によっては耐久性のある生地を用いる必要がある。また、用途に応じて空調衣服の色を変える必要もある。汚れが目立たないように黒っぽい生地を使用したり、逆に汚れが目立つように白っぽい生地を使用したり、作業効率を高めるために明るい色の生地を使用したりする必要がある。更に、帯電防止加工を施した生地を使用しなければならない場合もある。また、会社のユニホームのような場合、各社毎にデザインや色が異なる。しかしながら、このように用途に応じて素材や色やデザインの異なる空調衣服を製作すると、量産ができず、コストが嵩という問題がある。
【０００５】
また、例えば通常の作業服に使用されている綿で作られた布は、空気が漏れ易く、空調衣服内に吸引された空気が途中で服地部から外部に漏れ、冷却効果が良くないという問題があった。これに対して、例えば細いポリエステル繊維を高密度で編み上げた生地は、空気が漏れ難く、またかかる生地を用いて作った空調衣服は綿布を用いて作ったものに比べて価格が安い。したがって、このポリエステル繊維を用いて作った生地は、空調衣服に最適な素材であると考えている。しかしながら、空調衣服の用途によっては、上述したように使用できる生地が決まっているので、各空調衣服に対して空気漏れの少ない最適な生地を用いることができないという問題がある。
【０００６】
また、従来の空調衣服は、ファンによって送り込まれる外気により空調衣服が大きく膨らみ、このため身体から離れた所を流れる空気の量が多くなり、冷却効率が良くないという問題があった。更に、空調衣服が大きく膨らむので、従来の空調衣服はファンを身体の側部や前部に配置すると、空調衣服の側部や前部が大きく膨らみ作業性が悪くなり、また見栄えも悪かった。このため、従来の空調衣服はファンの位置が実質的に背部の下部に制限されていた。しかしながら、このようにファンが背部に配置されていると、自動車を運転するときのように、座った動作や作業を行なう場合、身体と座席等の背部との間にファンが挟まり、座り心地が悪いだけでなく、ファンの外気取入口が塞がれて冷却効果が低減するという問題があった。
【０００７】
本発明は上記事情に基づいてなされたものであり、用途に応じて素材や色やデザインを変えても量産が容易であり、且つどのような用途の衣服に対しても空気漏れの少ない生地を用いて製作することができ、しかもファンによる膨らみを抑えることができる空調衣服を提供することを目的とする。
【課題を解決するための手段】
【０００８】
上記の目的を達成するための請求項１記載の発明に係る空調衣服は、胴部の下部に形成された開口部に設けられた外気を吸引するための一又は複数の送風手段と、前記送風手段を駆動するための電源手段と、裾部を身体の腰部に密着させるための密着手段とを備え、身体の所定部位を覆うと共に、身体又は下着との空間に、身体又は下着の表面に沿って空気を案内するための内着と、前記内着の上に着用する、前記送風手段に対向する部分に外気を取り入れるメッシュ状の外気取入口が形成された上着と、を備え、前記内着の上に前記上着を着用し、前記上着の前記空気取入口から外気を前記内着内に取り入れ、前記内着と身体又は下着との空間に空気を流通させて、少なくとも襟部及び袖口部から外部に排出することを特徴とするものである。
【０００９】
上記の目的を達成するための請求項１１記載の発明に係る空調衣服は、胴部の下部に形成された開口部に設けられた外気を吸引するための一又は複数の送風手段と、前記送風手段を駆動するための電源手段と、ネクタイを締めたときにも、襟部と首との間に空気を流通させるための空間を確保するための襟部用間隔維持手段とを備え、身体の所定部位を覆うと共に、身体又は下着の表面に沿って空気を案内するためのワイシャツ状に形成された内着と、前記内着の上に着用する上着と、前記内着と前記上着との間に設けられた、前記送風手段と前記上着との間に空間を確保して外気を吸引するための外気取入用間隔維持手段と、を備え、前記内着の裾部をズボン内に入れて前記ズボンの腰部により身体又は下着に密着させ、前記内着と前記上着との間に設けられた前記外気取入用間隔維持手段を介して外気を前記内着内に取り入れ、身体又は下着との空間に空気を流通させて、襟部及び袖口部から外部に排出することを特徴とするものである。
【発明の効果】
【００１０】
本発明によれば、上着と内着によって構成したことにより、用途に応じて上着の素材や色やデザインを変えても、内着には空調衣服に最適な素材を用いることができ、また複数種類の上着に対して共通の色とデザインの内着を使用することができ、従来の空調衣服に比べて量産が容易となる。また、内着の外側に上着を着用することにより、送り込まれた外気によって内着が膨らむのを抑制することができる。したがって従来の空調衣服に比べて冷却効率の向上を図ることができ、しかも内着が大きく膨らむのを抑制することができるので、ファンは背部だけでなく、側部や前部にも自由に配置することが可能となる。更に、送風手段により外気を取り入れ、外気を身体と平行に流すことにより着用者を冷却することができる。
【発明を実施するための最良の形態】
【００１１】
［第１実施形態］  以下に、図面を参照して、本願に係る発明を実施するための最良の形態について説明する。図１（ａ）は本発明の第１実施形態である空調衣服の概略正面図、（ｂ）はその空調衣服の概略裏面図、図２（ａ）は本実施形態の空調衣服の上着を脱いだ状態の概略正面図、（ｂ）はその状態の概略裏面図、図３は本実施形態のファン周辺部の概略断面図である。なお、本実施形態では、本発明の空調衣服の上着が作業服である場合について説明する。
【００１２】
本実施形態の空調衣服１は、図１、図２及び図３に示すように、外気を取り入れるための外気取入口１１が背部に設けられた上着１０と、背部に設けられた二つのファン（送風手段）５０，５０を有する内着２０とを備える。また、上着１０はファスナ（上着用開閉手段）１２により、内着２０はファスナ（内着用開閉手段）２１により前身頃が開閉自在に形成されている。なお、内着２０の開閉手段には、面状ファスナやボタン等を用いてもよい。また、本実施形態のズボン１００は、通常のズボンと同じであるので、その詳細な説明を省略する。
【００１３】
上着の外気取入口１１は、空気の取入を妨げることがないように空気抵抗の小さな素材、すなわち適度な大きさの網目を有するメッシュ部材を用いて形成されている。本実施形態の上着は、背部に外気取入口１１が設けられている点で、一般の作業服とは異なるが、その他の点は一般の作業服と同じである。したがって、本実施形態の上着１０には用途に応じた素材を使用することができ、また種々の色やデザインの上着を製作することができる。例えば、上着１０の素材として、一般の作業服に用いられている、空気が漏れ易い綿布を使用することもできる。
【００１４】
内着２０は、二つのファン５０，５０の他に、二つのファン５０，５０を繋ぐゴム紐（弾性部材）５１と、二つのファンを駆動するための電池部（電源手段）６０と、背部の上部から肩部にかけて設けられたスペーサ（流通路用間隔維持手段）８０とを有する。また、本実施形態の内着２０は、襟の立っていないシャツ状のものであり、上半身を覆って、内着２０と身体又は下着との空間において、ファン５０，５０により送り込まれた空気を身体又は下着の表面に沿って案内するという役割も果たす。このため、内着２０の素材としては、軽くて薄く、内着２０と身体又は下着との間の空間において空気をスムーズに流すことができ、且つ空気が外部にあまり漏れないようなものが望ましい。例えば、細いポリエステル等の化繊で密に織られた布、コーティングにより空気漏れを防止したもの、塩化ビニル等の樹脂製のシート等を用いることができる。なお、本実施形態の内着２０は、半袖状に形成されている。内着２０を半袖状としたのは、長袖状に形成するのに比べて仕立が容易であること、及び、腕部の先の部分が無くても、上着１０が長袖であるので、冷却効果は殆ど変らないからである。すなわち、内着は半袖であるが、腕の先の部分は、上着の腕の部分が案内シートの役割を担うことになる。
【００１５】
二つのファン５０，５０は、図３に示すように、上着１０の外気取入口１１と対向するように、内着２０に着脱自在に取り付けられる。各ファンは、内着２０の下部に形成された開口部２６の周端部の布地をファンの外蓋部５２と本体部５３とで挟むようにして外蓋部５２と本体部５３とを嵌合させることにより、内着２０に取り付けられている。この二つのファン５０，５０は、ゴム紐（弾性部材）５１により繋がれおり、通常はこのゴム紐５１により規制される距離を保持して背部の下部に位置する。またこのとき、内着２０は身体より大き目のものを着用しているので、ゴム紐５１が伸びるのを邪魔しないように、予め、このゴム紐５１が縮んでいるときにファン５０とファン５０の間に位置する内着２０の部分は撓むようにしておく。これにより、ゴム紐５１が伸びるにしたがって、内着２０の撓んだ部分も伸びるようになる。なお、ファンを内着２０に着脱するための構成を備えた空調衣服がすでに市販されているので（株式会社空調服の作業服Ｐ−５００Ｎ）、ここではファンの着脱機構の詳細な説明は省略する。
【００１６】
本実施形態の空調衣服を着用して、例えば椅子に座ると、椅子の背部によって空調衣服の背部に圧力がかかり、ファンを繋いでいるゴム紐５１が伸びる。これにより、ファンは側部に移動するので、着用者が椅子に座っても、ファンが着用者に押し付けられて座り心地が悪くなったり、外気取入口１１が椅子の背部で塞がれて冷却効果が低下したりするのを防ぐことができる。なお、外着１０の外気取入口１１は、上述のようにゴム紐５１が伸びて、ファン５０，５０の間隔が広がることを見込んで、広がってもファンと対向できるように、背部から側部にかけて幅広に形成されている。また、外気取入口１１の上下方向の大きさも、着用者の通常の動作によりファンが上下に移動しても、ファンと対向するようにファンより十分に大きく形成されている。これにより、着用中にファンが移動しても、ファンの吸引口が上着の布地の部分と重なって、吸引能力が低下することは殆どない。なお、一般的に溶接作業の火花等から着用者を護るための作業服は前面や腕部が問題となるのであり、背部の一部をメッシュ状に形成しても問題にならないケースが多い。
【００１７】
二つのファン５０，５０は、外部の空気を内着２０内に取り込む方向に回転する。すなわち、本実施形態ではファン５０，５０の送風方式としては吸気方式を採用している。ファン５０，５０の送風方式を吸気方式とすると、外部から裏地部２０内に流入する空気によって、内着２０と身体又は下着との間に、空気の流通空間である空気流通路が自動的に形成される。
【００１８】
電源部６０は、ファン５０，５０に電力を供給するためのものである。電源部６０は、例えば内着２０の内側に設けられたポケット（不図示）に収納される。ここでは、電源部６０として、経済性の観点から二次電池を用いている。電源部６０と二つのファン５０，５０とは電源ケーブル（不図示）により接続されている。また、電源部６０と二つのファン５０，５０との間には、電源をオン・オフするための電源スイッチ（不図示）が設けられている。
【００１９】
また、内着２０には、ファン５０，５０により内着２０内に送り込まれた外気を流通させる空気流通路を確保するために、背部の上部から肩部にかけての内着２０の裏面にスペーサ８０が設けられている。本実施形態の空調衣服１は、内着２０の上に、上着１０を着用するので、この上着１０の重量で、内着２０の特に背部の上部や肩部が身体又は下着に密着し、空気が流れ難くなることが多い。そこで、上着１０を着用しても、内着２０の背部の上部や肩部に容易に空気の流通路を確保することができように、スペーサ８０が設けられている。このスペーサ８０は、例えばメッシュ部材で形成されたポケットを内着２０の肩部に縫い付けておき、このポケット内にスペーサ８０を収納することにより、内着に取着することができる。したがって、スペーサ８０が樹脂製であっても、洗濯するときには、内着２０からスペーサ８０を取り外して、通常の衣服と同じ方法で容易に内着２０を洗濯することができる。スペーサ８０は、例えば、本発明者が発明した国際出願「除湿装置用風路」の国際公開パンフレットＷＯ２００４／０１２５６４Ａ１の図９に開示されているものと同様のスペーサを用いることができる。
【００２０】
また、本実施形態の内着２０の裾部２３は、図３に示すように、下着又はズボン１００に密着するように形成されている。内着２０の裾部２３から空気が外部に漏れるのを防止するためである。この内着２０の裾部２３は、例えばゴム等の伸縮性のある素材を裾部２３に縫い込むことにより（密着手段）、下着等に密着させることができる。本実施形態の内着２０のファスナ２１を閉じることにより、裾部２３は身体の腰部に密着するようになり、内着２０の裾部２３から空気が外部に漏れることは殆どない。なお、密着手段としては、紐を用いて裾部を身体に密着させるようにしてもよい。
【００２１】
次に、本実施形態の動作について説明する。まず、本実施形態の空調衣服１の内着２０を着用し、前身頃をファスナ２１により閉める。次に、外着１０を着用して前身頃のファスナ１２を閉める。このようにして本実施形態の空調衣服１を着用した後、スイッチをオンにすると、ファン５０，５０が回転し、外気の吸引が開始される。上着１０の外気取入口１１から取り込まれた外気は、ファン５０，５０により、身体と平行に流れるよう内着２０内に送り込まれる。この送り込まれた外気により、内着２０と身体又は下着との間に身体の表面に略平行な空気を流すための空間である空気流通路が自動的に形成され、上半身を包み込むような空気の流れが生ずる。また、上着１０の重みにより空気流通路が自動的には形成され難い背部の上部や肩部では、外気は空気流通路用スペーサ８０を介して身体と略平行に流れる。このようにして身体と略平行に流れた外気は、本空調衣服１の襟部の開口部１３や両袖口部の開口部１４から外部に排出される。この身体と平行に流通する空気により着用者を冷却する。
【００２２】
上記の本実施形態によれば、空調衣服１を上着１０と内着２０とに分けて、内着２０を空気が漏れ難い素材で形成することにより、上着１０にはどのような素材、例えば空気が漏れ易い素材でも使用することができる。また、素材や色やデザインを変えて各種の上着を製作する場合でも、内着１０は各種の上着１０に対して、共通の素材、色、デザインのものを使用することができ、したがって、この点で、従来の空調衣服に比べて空調衣服の量産が容易となる。
【００２３】
また、本実施形態の空調衣服によれば、着用者が立ち作業等を行っているときには、ゴム紐５１により二つのファン５０，５０は所定の間隔を保って背部に位置しているので、作業の際に、腕を動かしても、ファン５０，５０が邪魔になることはない。一方、着用者が例えば椅子に座ったり、仰向けに横になったりしたときには、ファン５０，５０は椅子の背部や床によって押されて背部から側部に移動する。これによれ、作業者が椅子に座ったり、横になったりしても、ファンが着用者に押し付けられて座り心地等が悪くなったり、外気取入口１１が塞がれて冷却効果が低下したりするのを防止することができる。
【００２４】
また、従来の空調衣服では、ファンによって内部に送り込んだ空気により、空調衣服が大きく膨らみ、このため身体から離れた所を流れる空気の量が多く、冷却効果が良くなかった。これに対して、本実施形態の空調衣服によれば、内着２０の外側に上着１０を着用することにより、送り込まれた外気によって内着２０が膨らむのを抑制することができ、無駄な空気の流通を低減することができる。したがって、従来の空調衣服に比べて冷却効率の向上を図ることができる。またこの結果、内着内に送り込む風量は少なくて済み、ファンの小型化を図ることが可能となる。更に、ファンによる空調衣服の膨らみを抑えることができるので、ファンを側部や前部に配置しても、作業に邪魔にならず、また見栄えも悪くならない。したがって、ファンの位置を設計するときの自由度が高くなり、ファンの位置を変えて、冷却効率を高めたり、作業のし易いものとしたり、デザインを改良したりすることが可能となる。
【００２５】
また、上記の本実施形態によれば、上着で不要な膨らみを抑え、また上着の重みで空気流通路を確保し難い部分にはスペーサを配置することにより、身体の各部について設計通りの空気流通路の間隔を確保し、効率良く且つむらなく着用者を冷却することができる。
【００２６】
また、本実施形態の空調衣服によれば、内着は素材や色やデザイン上の規制が少なく、また外部から直接は見えないので、外観にこだわることなく、性能を重視した内着の設計が可能となる。
【００２７】
また、通常の衣服ではＳ、Ｍ、Ｌ、ＬＬ等のように多くのサイズを揃える必要があるが、本実施形態の内着はこのように多くのサイズを揃える必要はない。本実施形態の空調衣服の場合、大きな内着を着用しても、上着により外形が整えられるので、風圧で内着が膨らみ過ぎることはない。なお、内着のサイズが大き過ぎると、皺ができるが、この皺は風圧によって上着に張り付いたり、移動したり、変形したりするので、大きな空気抵抗となることはない。
【００２８】
図４は、本実施形態の内着の変形例を示す図である。本変形例の内着２００が内着２０と異なる点は、襟部２０１が立て襟となっていること、襟部２０１の内側にスペーサ８２０を設けたこと、及び肩部のスペーサ８０ｃを二つに分けたことである。図４に示すように襟部２０１が立て襟になっていると、襟部２０１と身体の首部とが密着して、襟部から空気が排出され難くなる。これに対して、本変形例の内着２００は、襟部２０１の内側にスペーサ８２０を設けてあるので、襟部２０１が立て襟であっても、襟部２０１と首部との間に空気の流通路を確保して、内着２００内に吸引した空気を確実に襟部からも外部に排出して、身体を冷却することができる。
【００２９】
また、上記の本実施形態では、二つのファン５０，５０を背部に配置した場合について説明したが、二つのファンは側部や腹部に配置するようにしてもよい。
【００３０】
［第２実施形態］  次に、本発明の第２実施形態について説明する。図５（ａ）は本発明の第２実施形態である空調衣服の概略正面図、（ｂ）はその空調衣服の概略裏面図である。第２実施形態の空調衣服が第１実施形態の空調衣服と異なるのは、図５に示すように、第２実施形態の内着２０ａが上着１０ａに着脱自在に取着されている点と、二つのファン５０，５０の間隔が伸縮自在となっていない点である。その他の点は、第１実施形態と同じである。したがって、本実施形態において、第１実施形態と同一の機能を有するものには、同一の符号或いは対応する符号を付することにより、その詳細な説明を省略する。
【００３１】
本実施形態の空調衣服１ａは、内着２０ａのファン５０，５０近傍及び肩部が外着１０ａにボタン（取着手段）３０により着脱自在に取着されている。特に、二つのファン５０，５０の近傍はファン５０，５０と外気取入口１１ａ，１１ａとの位置がずれないように各ファン５０，５０近傍の四隅がボタン３０により上着１０ａの外気取入口１１ａ，１１ａの近傍に取着されている。またこの結果、本実施形態では、第１実施形態の外気取入口１０に比べて、外気取入口１１ａ，１１ａの形状を小さくすることができる。なお、外気取入口１１ａ，１１ａの形状は円形や楕円形等であっても良い。また、取着手段としては、ボタンの他に、ホックや面状テープ等を用いことができる。
【００３２】
次に、本実施形態の動作について説明する。予め、内着２０ａをボタン３０により外着１０ａに取着する。これにより、内着２０ａと外着１０ａとが一体化される。次に、内着２０ａが上着１０ａに取着された空調衣服１ａを着用し、内着２０ａのファスナ２１を閉め、外着１０ａのファスナ１２を閉める。このようにして本実施形態の空調衣服１ａを着用した後、スイッチをオンにすると、ファン５０，５０が回転し、外気の吸引が開始される。以後の動作は、第１実施形態のものと同様である。
【００３３】
上記の本実施形態によれば、第１実施形態の外気取入口の面積に比べて、外気取入口１１ａ，１１ａの面積を小さくすることができるので、より通常の衣服に近い形状となる。したがって、本実施形態の空調衣服の上着は、作業服だけでなく、会社の事務等で着用するユニホームにも適したものとなる。なお、本実施形態のその他の作用・効果は第１実施形態のものと同様である。また、上記の実施形態では、外気取入口が四角形状に形成されている場合について説明したが、外気取入口は円形状等であってもよい。また、本実施形態の場合、上着と内着が一体化されているので、上着に設けられているメッシュ状部材は省略することも可能である。
【００３４】
図６（ａ）は第２実施形態の変形例である空調衣服１ｂの概略正面図、（ｂ）はその空調衣服１ｂの概略裏面図、図７は本変形例である空調衣服１ｂの前身頃を開いた状態の前身頃下端部の概略図である。本変形例の空調衣服１ｂが第２実施形態の空調衣服１ａと異なるのは、第２実施形態の内着のファスナの代わりに、内着２０ｂの前身頃を上着１０ｂに取着するためのファスナ３０ｂを設けた点である。その他の点は、第２実施形態のものと同じである。したがって、本変形例において、第２実施形態のものと同一の機能を有するものには、同一の符号又は対応する符号を付することにより、その詳細な説明を省略する。
【００３５】
本変形例の空調衣服１ｂは、内着２０ｂを上着１０ｂに取着するために、ボタン３０だけでなく、図７に示すように内着２０ｂの前身頃の端部を上着の前身頃のファスナ１２近傍に着脱自在に取着するためのファスナ３０ｂ，３０ｂを備えている。
【００３６】
本変形例によれば、内着２０ｂの前身頃の端部が外着１０ｂに取着されているので、本変形例の空調衣服１ｂを着用するときには、外着１０ｂのファスナ１２を閉めることにより、同時に内着２０ｂの前身頃も閉めることができる。したがって、空調衣服を着たり、脱いだりする動作を迅速に行なうことかできる。本変形例のその他の作用・効果は、第２実施形態のものと同様である。なお、本変形例の場合、ファスナ３０ｂとファスナ３０ｂの間には、内着がない。このため、このファスナ３０ｂとファスナ３０ｂの間から内着内の空気が外着う通って外部に漏れる可能性があるが、面積が小さいことから、冷却効果に大きな影響を及ぼすことはないと考える。
【００３７】
［第３実施形態］  次に、本発明の第３実施形態について説明する。図８（ａ）は本発明の第３実施形態である空調衣服の概略正面図、（ｂ）はその空調衣服の概略裏面図、図９（ａ）は第３実施形態である空調衣服の上着を脱いだ状態の概略正面図、（ｂ）はその状態の概略裏面図、図１０は第３実施形態のファン周辺部の概略断面図である。本実施形態では、本発明の空調衣服の上着が背広である場合について説明する。また、本実施形態の背広の概念は、上着とズボンがとも布で作られたものだけでなく、上着だけのジャケットも含むものである。なお、図９では、図を簡略するためにネクタイを外した状態を示している。
【００３８】
本実施形態が第１実施形態と異なるのは、図８乃至図１０に示すように、上着１０ｃが背広であること、また上着１０ｃには外気取入口が形成されておらず、外気は上着１０ｃと内着２０ｃとの間の空間から取入れること、内着２０ｃがワイシャツであること、二つのファン５０，５０の間隔が伸縮自在に構成されていないこと、及び肩部のスペーサ８０ｃを二つに分けたことである。その他のものは、第１実施形態のものと同様である。したがって、本実施形態において、第１実施形態のものと同一の機能を有するものには、同一の符号又は対応する符号を付することにより、その詳細な説明を省略する。
【００３９】
本実施形態の上着１０ｃは、通常の背広の上着と同じである。したがって、上着１０ｃの詳細な説明は省略する。また、本実施形態の内着２０ｃは、できるだけ通常のワイシャツに近似した形状とするために、裾部２３ｃは通常のワイシャツと同じように形成されている。本実施形態の内着２０ｃの裾部２３ｃはズボンの内側に入れて着用し、裾部２３ｃはズボン１００のベルト１０１により身体に密着させる。
【００４０】
本実施形態の上着１０ｃは、図８及び図１０に示すように、外気吸引口が形成されていないので、内着２０ｃに設けられた二つのファン５０，５０を覆うようになる。本実施形態では、外気は上着１０ｃの下端と内着２０ｃの下端により形成される開口部である取入口４０から吸引する。外部の空気は、ファン５０，５０によってこの取入口４０から吸引されて内着２０ｃ内に送り込まれる。
【００４１】
また、本実施形態では、取入口４０からファン５０，５０までの空気流通路を確保するために上着１０ｃと内着２０ｃの間には、外気取入用スペーサ（外気取入用間隔維持手段）８１が配置されている。この外気取入用スペーサ８１は、二つのファン５０，５０を覆うように上着１０ｃと内着２０ｃの間に設けられたメッシュ状のポケット部（収納手段）９０内に収納される。本実施形態の外気取入用スペーサ８１は、図８（ｂ）に示すように、ほぼ上着１０ｃの背部下端部の全面に設けられている。ポケット部９０は、内着２０ｃの外側に取り付けられ、且つ、その上端はファスナ９１により開閉自在に構成されている。本実施形態の場合、内着２０ｃの裏側からポケット部９０のファスナ９１を開けることにより、収納してある外気取入用スペーサ８１を容易に取り出すことができる。この外気取入用スペーサ８１により、ファン５０，５０と上着１０ｃとの間は、密着することなく、スペーサ８１により一定の間隔に保持される。なお、上着１０ｃの下端は、スペーサ８１の下端と同じか若干長いことが望ましい。上着１０ｃの下端がスペーサ８１の下端より長すぎると、ファンの吸引力により上着１０ｃの下端部が吸込まれて取入口４０が塞がれ、ファンの送風能力（吸引能力）が低減するおそれがある。また、上着１０ｃの下端がスペーサ８１の下端より短いと、ファンの送風能力を低減させることはないが、上着１０ｃの下端からスペーサ８１が露出するようになり、外観を損なうことになるので、好ましくない。
【００４２】
次に、上着１０ｃに外気取入口を設けなくても、二つのファン５０，５０の送風能力（吸引能力）を低下させないための工夫について説明する。図１１は上着１０ｃに外気取入口を設けなくても、二つのファン５０，５０の送風能力を低下させないための工夫について説明するための概略図であり、（ａ）はファン５０のファンケースの外蓋部５２を外してファンを正面から見た概略図、（ｂ）は上着１０ｃとファン５０との間の隙間を説明するためのファン近傍の概略平面図、（ｃ）はファンの吸引口の外径と同じ外径を有し高さがＨの円筒状の隙間を示す概略図、（ｄ）は本空調衣服１ｃの下端部の外気の取入口４０を示す概略平面図である。
【００４３】
上着１０ｃに外気取入口を設けなくても、二つのファン５０，５０の送風能力を低下させないためには、少なくともファン５０，５０の吸引口５５の実質面積と同じ断面積を有する空気の流通路を確保する必要ある。まず、ファン５０と上着１０ｃとの間の隙間について説明する。なお、図１１において、Ｈはスペーサ８１によって上着１０ｃとファン５０と間に形成される隙間であり、ｒはファン５０が外気を吸引する吸引口５５の半径である。外気の流通口となる上着１０ｃとファン５０との間の円筒状の隙間の面積Ｓ2は、同図（ｃ）に示すように、吸引口５５の径ｒと同じ径ｒを有し高さがＨの円筒の表面積と同じとなり、
Ｓ2＝２πｒＨ                                  （１）
となる。
【００４４】
上着１０ｃに外気取入口を設けなくても、ファン５０の送風能力が低減しないようにするためには、表面積Ｓ2は少なくともファン５０の吸引口５５の実質面積Ｓ1と同じでなければならない。したがって、実質面積Ｓ1と面積Ｓ2は、下式を満足する必要がある。
【００４５】
Ｓ1  ≦  Ｓ2                  
∴  Ｓ1  ≦  ２πｒＨ                              （２）
したがって、スペーサ８１の高さ、すなわち、上着１０ｃとファン５０との隙間Ｈは上記の（２）式を満足することが望ましい。なお、吸引口５５の面積は、πｒ２であるが、吸引口の実質面積というのは、実質的に吸引に寄与している部分の面積のことをいい、πｒ２より小さいものとなる。例えば、図１１（ａ）に示すように、プロペラの中心部は実質的には吸引していないので、吸引口の実質的な吸引のための面積はπｒ２より小さくなる。また、ファン５０の外蓋部５２には、人の指等が吸引口に入らないように、蜘蛛網状のフィンガーガードが形成されており、このフィンガーガードの部分により吸引口５５の実質的な吸引のための面積はπｒ２より小さくなる。すなわち、吸引口５５の実質面積というのは、πｒ２から、プロペラの中心部の面積と、フィンガーガードの面積とを引いたものとなる。
【００４６】
次に、本空調衣服１ｃの下端部の取入口４０の面積Ｓ3について説明する。今、ファン５０の数がＮ個（本実施形態の場合は２個）であるとすると、全てのファンの吸引口５５の実質面積の総和ΣＳはＳ1×Ｎとなる。したがって、上着１０ｃに外気取入口を設けなくても、ファンの送風能力が低減しないようにするためには、上着１０ｃの下端部の取入口４０の面積Ｓ3は、少なくとも全てのファンの吸引口の実質面積の総和より大きくなければならない。したがって、取入口４０の面積Ｓ3は
Ｓ３  ≧  ＮＳ１  ＝  ΣＳ                      （３）
の関係を満足することが望ましい。
【００４７】
図１２は、本実施形態の空調衣服の襟部の概略拡大図である。本実施形態の襟部２４の内側には、襟部２４と体の首部との間に空気の流通路を確保するためにスペーサ（襟部用間隔維持手段）８２が設けられている。本実施形態の空調衣服の上着１０ｃは、背広であるので、通常、内着２０ｃの襟部２４にはネクタイが締められる。このネクタイにより襟部２４が首部に密着してしまうと、襟部２４から空気が排出されなくなり、首部や肩部等を効果的に冷却することができなくなる。このため、本実施形態では、襟部２４の内側にスペーサ８２を設けている。
【００４８】
次に、本実施形態の動作について説明する。本実施形態の空調衣服１ｃを着用した後、スイッチをオンにすると、ファン５０，５０が回転し、外気の吸引が開始される。空調衣服１ｃの下端部の開口部である取入口４０から取り込まれた外気は、上着１０ｃと内着２０ｃとの隙間を通り、ファン５０，５０の吸引口５５を経て内着２０ｃ内に送り込まれる。内着２０ｃ内に送り込まれた外気は、身体と平行に流通し、襟部２４のスペーサ８２や両袖口部の開口部１４から外部に排出される。この身体と平行に流通する空気により着用者を冷却する。
【００４９】
上記の本実施形態によれば、ファンが外部に露出しないので、一般の背広と比べても外観上の差異はなく、したがって着用者は一般の背広と同じ感覚で着こなすことができ、従来の空調衣服に比べて着用したときの違和感は遥かに少なくなる。また、雨の日にファン５０により外気を吸引しても、雨が直にファン５０に入り込むことはなく、したがって雨によりファン５０や内側の衣服が濡れることもない。
【００５０】
また、上記の本実施形態によれば、上着１０ｃとファン５０との間にスペーサ８２を配置することにより、上着１０ｃに外気取入口を設けなくても、効率よく外気を吸引することができる。
【００５１】
また、上記の本実施形態によれば、ファンが外部に直に露出していないので、従来の空調衣服に比べて、ファンに異物や埃が入り難い。また、例えば幼児が抱きついたときに、指がファンに入り込んだりするのを防止することができ、安全性の向上を図ることができる。
【００５２】
また、上記の実施形態によれば、外気の取り入れを止めるためにファンを停止した場合、上着に外気取入口が形成されていないので、従来の空調衣服に比べて、風によって外気が空調衣服内に入り込むのをより確実に防止することができる。
【００５３】
なお、上記の実施形態では、スペーサ８１を収納するメッシュ状のポケット部９０を内着２０Ｃに設けた場合について説明したが、このポケット部９０は上着に設けるようにしてもよい。また、第１実施形態と同じように、ファン５０，５０の間隔を伸縮自在な構成としても良い。更に、上記の実施形態では、ファンを背部の下部に設けた場合について説明したが、ファンは側部の下部に設けるようにしてもよい。この場合、スペーサ（外気取入用間隔維持手段）もファンに対応するように、側部の下部に設ける。
【００５４】
［第４実施形態］  次に、本発明の第４実施形態について説明する。図１３（ａ）は本発明の第４実施形態である空調衣服の概略正面図、（ｂ）はその空調衣服の概略裏面図、図１４は本実施形態を着用して腰部を曲げて作業を行っているときの概略側面図である。
【００５５】
本実施形態が第１実施形態と異なるのは、図１４に示すように、本実施形態の空調衣服１ｄの上着がつなぎ服である点と、内着の裾部をワイシャツの裾部のように長く形成し、その裾部を身体に密着させるために腰部にベルト２５を設けた点である。その他の点は、第１実施形態のものと同じである。したがって、本実施形態において、第１実施形態のものと同一の機能を有するものには同一の符号又は対応する符号を付することにより、その詳細な説明を省略する。
【００５６】
本実施形態の空調衣服１ｄの上着１０ｄは、つなぎ服である。本実施形態の上着１０ｄの背部には、第１実施形態と同じように、外気取入口１１ｄが形成されている。なお、本実施形態では、上着１０ｄの背部を丈夫なものとするために、外気取入口１１ｄは二つに分割して形成し、外気取入口１１ｄ，１１ｄの間に、上着１０ｄと同じ素材の部分を残すようにしている。
【００５７】
従来のつなぎ服タイプの空調衣服は、腰部を曲げて作業等を行なうと、空調衣服の腰部が突っ張って身体に強く押し付けられ、このためファンの外蓋部と本体部との嵌合が外れてファンが落下してしまうことがあった。これに対して、本実施形態の場合、腰部を曲げて作業等を行なうときには、内着に取り付けられているファン５０，５０は、内着と共に上方向に移動する。腰部を曲げると、外着はつなぎ服であるので、腰部が突っ張るようになるが、内着はつなぎ服ではないので、上着のように突っ張ることはなく、身体の上方向にずれる。したがって、本実施形態によれば、腰部を曲げて作業等を行う場合でも、ファンは上着の突っ張った腰部に対して上方向にずれるので、ファンが上着の突っ張った部分によって強く押されて内着から外れて落下するのを防止することができる。なお、ファンが上方向にずれる距離は僅かであり、しかも外気取入口はファンの吸引口に対して上下方向にも余裕をもたせて大きく形成している。したがって、腰部を曲げることによりファンが上方向にずれても、ファンの吸引口が上着の布地によって塞がれて外気を吸引できなくなることはない。
【００５８】
また、上記の本実施形態によれば、内着２０ｄのベルト２５を調節することにより、内着２０ｄの裾部２３ｄから外気が外着１０ｄの下半身に流れ、ズボンの裾部からも外部に排出される。したがって、本実施形態の空調衣服によれば、着用者の下半身をも冷却することができる。その他の作用・効果は第１実施形態のものと同様である。
【００５９】
なお、上記の第４実施形態では、ファンを内着２０ｄの背部に設ける場合について説明したが、ファンを両側面に配置するようにしてもよい。この場合、ファンの間の間隔を伸縮自在とする構成は省略することも可能である。
また、内着２０ｄは、第１実施形態の裾部と同じようにゴム等の伸縮性のある素材を裾部に縫い込むことにより、下着等に密着させるようにしてもよい。
【００６０】
［第５実施形態］  次に、本発明の第５実施形態について説明する。図１５（ａ）は本発明の第５実施形態である空調衣服の概略正面図、（ｂ）はその空調衣服の概略裏面図、図１６（ａ）は本実施形態の空調衣服の上着を脱いだ状態の概略正面図、（ｂ）はその状態の概略裏面図である。なお、本実施形態では、空調衣服の上着がオフィス用のユニホームである場合について説明する。
【００６１】
第５実施形態の空調衣服が第２実施形態の空調衣服と異なるのは、図１５及び図１６に示すように、第５実施形態の空調衣服１ｅのファン５０，５０が内着２０ｅの側部の下部に取り付けられていること、これに伴い上着１０ｅの外気取入口１１ｅも上着１０ｅの側部の下部に形成されていること、及び上着１０ｅの開閉手段がボタン１２ｅとなっていることである。その他のものは、第２実施形態と同じである。したがって、本実施形態において、第２実施形態と同一の機能を有するものには、同一の符号或いは対応する符号を付することにより、その詳細な説明を省略する。
【００６２】
本実施形態のユニホームによれば、外気は本空調衣服１ｅの側部に配置されたファン５０，５０によって内着２０ｅに吸引され、内着２０ｅ内を身体に沿って流れて、襟部や袖口部の開口部から外部に排出される。その他の動作は第１実施形態のものと同様である。
【００６３】
上記の本実施形態のユニホームによれば、内着の膨らみが上着で抑えられ、更に外気取入口がメッシュ部材でおおわれているため、ファン５０，５０及び外気取入口１１ｅが側部の下部に配置されているにもかかわらず、腕が動かし易く、またデスクワークの際にファン５０，５０が邪魔にならず、背部や腹部にファンが配置されているものに比べて作業性が良くなる。また、ファン５０，５０や外気取入口が目立たないので、オフィスで着用しても違和感の少ないものとなる。その他の作用・効果は第２実施形態のものと同様である。なお、本発明は、上記の実施形態に限定されるものではなく、上述したように作業性が良いので、他の衣服、例えば作業服等であってもよい。
【００６４】
［他の実施形態］  本発明は、上記の実施形態に限定されるものではなく、その要旨の範囲内において種々の変更が可能である。例えば、上記の各実施形態では、内着が半袖である場合について説明したが、内着は、袖無であってもよいし、長袖であってもよい。なお、内着を長袖にした場合、例えば上着として綿等の吸湿性のある素材を使用し、且つ内着としてビニールシート等の素材を用いると、腕の部分がべとついてしまう。これに対して、内着を袖無にした場合、このようなべとつきはなくなる。
【００６５】
また、上記の実施形態では、内着の背部や肩部にスペーサを配置する場合について説明したが、本発明はこれに限定されるものではなく、ファンによる送風では、空気の流通路を確保することが難しい部分、例えば脇部等に配置するようにしてもよい。更に、上着が軽い場合には、スペーサを省略することも可能である。
【００６６】
また、上記の実施形態では、スペーサをメッシュ部材で形成したポケットに収納する場合について説明したが、スペーサの取り付け方法には他の種々の既知の方法を用いることができる。例えば、スペーサは両面テープや面状ファスナにより内着に取り付けるようにしてもよい。
【００６７】
また、上記の実施形態では、上着が作業服、背広、つなぎ服及びユニホームである場合について説明したが、上着は、これらに限定されるものではなく、例えば雨具、耐熱服、医療用白衣、事務服等のように、空調を行ないたい衣服であれば、どのようなものであってもよい。また、各実施形態とも、記載した上着の種類（作業服等）に限定されるものではなく、どのような種類の衣服であってもよい。
【００６８】
また、上記の実施形態では、ファンを２台設ける場合について説明したが、ファンは、１台でも３台以上であってもよい。
【００６９】
また、上記の実施形態では、上着用開閉手段がファスナである場合について説明したが、この開閉手段は、面状テープやボタン等であってもよい。また、上着用開閉手段は、前面に設けられているものに限定されるものではなく、女性用ワンピースのように裏面に設けられているものや側部に設けられているものであってもよい。また、この上着用開閉手段は、前部の全体を開閉するものではなく、前部の一部、例えば首から胸にかけて部分的に開閉するものであってもよい。更に、上着は前部に上着用開閉手段が形成されていないものであってもよい。この場合の上着は、前部が開放されたままのものであってもよいし、或いはセータのように、前部が開閉できないもので、頭からかぶるようにして着用するものであってもよい。
【００７０】
なお、上記の実施形態では、上着の袖口部が手首に密着されていないものについて説明したが、上着の袖口部が手首に密着するように形成され、袖口部から空気が排出され難い場合は、袖口部の近傍に切り込み部又は開口部を設け、この切り込み部又は開口部から空気を排出するようにしてもよい。更に、ファスナ等を用いて、この切り込み部又は開口部の開口度を調節することができるようにしてもよい。
【産業上の利用可能性】
【００７１】
以上説明したように、本発明の空調衣服は、上着と内着によって構成したことにより、用途に応じて上着の素材や色やデザインを変えても、内着には空調衣服に最適な素材を用いることができる。また、複数種類の上着に対して共通の色とデザインの内着を使用することができ、従来の空調衣服に比べて量産が容易となる。また、内着の外側に上着を着用することにより、送り込まれた外気によって内着が膨らむのを抑制することができる。これにより、従来の空調衣服に比べて冷却効率の向上を図ることができ、しかも内着が大きく膨らむのを抑制することができるので、ファンは背部だけでなく、側部や前部にも自由に配置することが可能となる。更に、本発明によれば、送風手段により外気を取り入れ、外気を身体と平行に流すことにより着用者を冷却することができる。したがって、本発明は、作業服や背広やつなぎ服等に適用することができる。
【図面の簡単な説明】
【００７２】
【図１】図１（ａ）は本発明の第１実施形態である空調衣服の概略正面図、（ｂ）はその空調衣服の概略裏面図である。
【図２】図２（ａ）は第１実施形態の空調衣服の上着を脱いだ状態の概略正面図、（ｂ）はその状態の概略裏面図である。
【図３】図３は第１実施形態のファン周辺部の概略断面図である。
【図４】図４は第１実施形態の内着の変形例を示す図である。
【図５】図５（ａ）は本発明の第２実施形態である空調衣服の概略正面図、（ｂ）はその空調衣服の概略裏面図である。
【図６】図６（ａ）は第２実施形態の変形例である空調衣服１ｂの概略正面図、（ｂ）はその空調衣服１ｂの概略裏面図である。
【図７】図７は第２実施形態の変形例である空調衣服１ｂの前身頃を開いた状態の前身頃下端部の概略図である。
【図８】図８（ａ）は本発明の第３実施形態である空調衣服の概略正面図、（ｂ）はその空調衣服の概略裏面図である。
【図９】図９（ａ）は第３実施形態である空調衣服の上着を脱いだ状態の概略正面図、（ｂ）はその状態の概略裏面図である。
【図１０】図１０は第３実施形態のファン周辺部の概略断面図である。
【図１１】図１１は上着１０ｃに外気取入口を設けなくても、二つのファン５０，５０の送風能力を低下させないための工夫について説明するための概略図であり、（ａ）はファン５０のファンケースの外蓋部５２を外してファンを正面から見た概略図、（ｂ）は上着１０ｃとファン５０との間の隙間を説明するためのファン近傍の概略平面図、（ｃ）はファンの吸引口の外径と同じ外径を有し高さがＨの円筒状の隙間を示す概略図、（ｄ）は本空調衣服１ｃの下端部の外気の取入口４０を示す概略平面図である。
【図１２】図１２は第３実施形態の空調衣服の襟部の概略拡大図である。
【図１３】図１３（ａ）は本発明の第４実施形態である空調衣服の概略正面図、（ｂ）はその空調衣服の概略裏面図である。
【図１４】図１４は第４実施形態を着用して腰部を曲げて作業を行っているときの概略側面図である。
【図１５】図１５（ａ）は本発明の第５実施形態である空調衣服の概略正面図、（ｂ）はその空調衣服の概略裏面図である。
【図１６】図１６（ａ）は第５実施形態の空調衣服の上着を脱いだ状態の概略正面図、（ｂ）はその状態の概略裏面図である。
【符号の説明】
【００７３】
１，１ａ，１ｂ，１ｃ，１ｄ，１ｅ    空調衣服
１０，１０ａ，１０ｂ，１０ｃ，１０ｄ，１０ｅ    上着
１１，１１ａ，１１ｄ，１１ｅ    外気取入口
１２    上着用のファスナ
１２ｅ    ボタン
１３    襟部の開口部
１４    袖口部の開口部
２０，２０ａ，２０ｂ，２０ｃ，２０ｄ，２０ｅ，２００    内着
２１    内着用のファスナ
２３，２３ｃ，２３ｄ    裾部
２４    襟部
２５    ベルト
３０    ボタン
３０ｂ    ファスナ
４０    取入口
５０    ファン
５１    ゴム紐
５２    外蓋部
５５    吸引口
６０    電源部
８０，８０ｃ    肩部のスペーサ
８１    外気取入用スペーサ
８２，８２０    襟部のスペーサ
９０    ポケット部
９１    ファスナ
１００    ズボン
２０１    襟部
【図１】
2006307354.tif 000003
【図２】
2006307354.tif 000004
【図３】
2006307354.tif 000005
【図４】
2006307354.tif 000006
【図５】
2006307354.tif 000007
【図６】
2006307354.tif 000008
【図７】
2006307354.tif 000009
【図８】
2006307354.tif 000010
【図９】
2006307354.tif 000011
【図１０】
2006307354.tif 000012
【図１１】
2006307354.tif 000013
【図１２】
2006307354.tif 000014
【図１３】
2006307354.tif 000015
【図１４】
2006307354.tif 000016
【図１５】
2006307354.tif 000017
【図１６】
2006307354.tif 000018